(57)【要約】【課題】本発明は、複数の液晶パネルを隣接するように配列してマルチディスプレイ装置を製造する方法を提供する。【解決手段】マルチディスプレイ装置の製造方法は、複数の液晶パネル(511,611,711,811)の端部に沿って切断して複数の液晶パネル(511,611,711,811)の一部を除去する段階、この複数の液晶パネル(511,611,711,811)の切断面が互いに向き合って配置されるように、一部の液晶パネル(611,711,811)がひっくり返された状態で複数の液晶パネル(511,611,711,811)を隣接するように配列して固定する段階、ひっくり返された液晶パネル(611,711,811)の面に付着された偏光板を除去する段階、および偏光板が除去された面に最初に反対側面に付着されていた偏光板と同一の種類の偏光板をそれぞれ付着する段階を含む。【選択図】図8
2013501960.tif 000002
【特許請求の範囲】
【請求項１】
複数の液晶パネルを隣接するように配列してマルチディスプレイ装置を製造するマルチディスプレイ装置の製造方法において、
前記複数の液晶パネルの一つ以上の角部に沿ってそれぞれ切断して前記複数の液晶パネルの一部をそれぞれ除去する段階、
前記角部が切断された複数の液晶パネルの切断面が互いに向き合って配置されるように、前記複数の液晶パネルのうちの一部がひっくり返された状態で前記複数の液晶パネルを隣接するように配列して固定する段階、
前記複数の液晶パネルのうち、ひっくり返された状態で配列される液晶パネルの面に付着された偏光板を除去する段階、および
前記ひっくり返された状態で配列される液晶パネルの偏光板が除去された面に最初に反対側面に付着されていた偏光板と同一の種類の偏光板をそれぞれ付着する段階を含む、マルチディスプレイ装置の製造方法。
【請求項２】
前記複数の液晶パネルの一部をそれぞれ除去する段階において、前記液晶パネルを駆動するためのドライバーが設置されていない前記液晶パネルの右側角部と下側角部のうちの一つ以上を切断して除去する、請求項１に記載のマルチディスプレイ装置の製造方法。
【請求項３】
前記複数の液晶パネルは四つであり、
前記液晶パネルの一部をそれぞれ除去する段階において、前記四つの液晶パネルの右側角部および下側角部に沿ってそれぞれ切断され、
前記複数の液晶パネルを隣接するように配列して固定する段階において、前記四つの液晶パネルは横二つおよび縦二つに配列され、
前記四つの液晶パネルのうち、左側上段に配列される液晶パネルはひっくり返さない状態で配置され、前記四つの液晶パネルのうち、右側上段に配列される液晶パネルは、右側切断面が左側に向かうようにひっくり返されて配置され、前記四つの液晶パネルのうち、左側下段に配列される液晶パネルは、下側切断面が上側に向かうようにひっくり返されて配置され、前記四つの液晶パネルのうち、右側下段に配列される液晶パネルは、切断されて形成された下側切断面と右側切断面が上側および左側にそれぞれ向かうようにひっくり返されて配置される、請求項２に記載のマルチディスプレイ装置の製造方法。
【発明の詳細な説明】
【技術分野】
【０００１】
本発明は、複数の液晶パネルを隣接するように配列してマルチディスプレイ装置を製造する方法に関する。
【背景技術】
【０００２】
液晶表示装置は、軽量、薄型、低消費電力駆動などの長所を有して広く使用されており、それに対する研究開発も持続的に行われている。
【０００３】
一般的な液晶表示装置（ｌｉｑｕｉｄ  ｃｒｙｓｔａｌ  ｄｉｓｐｌａｙ、ＬＣＤ）の液晶パネル（ｌｉｑｕｉｄ  ｃｒｙｓｔａｌ  ｐａｎｅｌ）は、二つの基板と、その間に入っている誘電率異方性（ｄｉｅｌｅｃｔｒｉｃ  ａｎｉｓｏｔｒｏｐｙ）を有する液晶層とを含む。液晶層に電界を印加し、この電界の強さを調節して液晶層を通過する光の透過率を調節することによって所望する画像を得る。このような液晶表示装置は、携帯が簡便な平板表示装置（ｆｌａｔ  ｐａｎｅｌ  ｄｉｓｐｌａｙ、ＦＰＤ）の中で代表的なものであり、この中でも薄膜トランジスタ（ｔｈｉｎ  ｆｉｌｍ  ｔｒａｎｓｉｓｔｏｒ、ＴＦＴ）をスイッチング素子として用いたＴＦＴ−ＬＣＤが主に用いられている。
【０００４】
液晶パネルの互いに向き合うように配置される二つの基板のうちの下部の基板には、複数の表示信号線、つまり、ゲート線とデータ線、多数の薄膜トランジスタと画素電極などが形成され、二つの基板のうちの上部の基板には、色フィルター（ｃｏｌｏｒ  ｆｉｌｔｅｒ）と共通電極が形成される。
【０００５】
最近、多様な消費要求に応じて大型画面を実現する液晶表示装置に対する需要が増加している。大型画面を有する液晶表示装置を実現するために、液晶パネルを大型化する方法があるが、液晶パネルの大型化に限界があり、製造費用が急激に増加する問題がある。
【０００６】
このような液晶パネルの大型化の問題点を解決しながら大型画面を有する液晶表示装置を実現するために、複数の液晶パネルを互いに隣接するように配列して大型画面を構成して形成されるマルチディスプレイ装置が紹介されたことがある。
【０００７】
複数の液晶パネルを結合して形成されるマルチディスプレイ装置の場合、各液晶パネルのブラックベゼルの幅が小さいほど、ブラックベゼルが互いに隣接するように配置される部位（つまり、映像が表示されない領域）が小さくなって全体的に有利である。
【０００８】
しかし、通常の液晶パネルは、ある程度の長さのブラックベゼル部分を含むため、複数の液晶パネルを隣接するように配列してマルチディスプレイ装置を実現することにおいて、隣接するように配列される液晶パネルの間の映像が表示されない領域が相対的に広いという問題点があった。
【発明の概要】
【発明が解決しようとする課題】
【０００９】
本発明は、上記問題点を解決するためになされたものであって、本発明が解決しようとする課題は、複数の液晶パネルを隣接するように配列してマルチディスプレイ装置を製造することにおいて、映像が表示されない領域を最少化すると共に、良質の映像を実現することができるマルチディスプレイ装置の製造方法を提供することにある。
【課題を解決するための手段】
【００１０】
前記課題を達成するための本発明の一実施形態による複数の液晶パネルを隣接するように配列してマルチディスプレイ装置を製造するマルチディスプレイ装置の製造方法は、前記複数の液晶パネルの一つ以上の角部に沿ってそれぞれ切断して前記複数の液晶パネルの一部をそれぞれ除去する段階、前記角部が切断された複数の液晶パネルの切断面が互いに向き合って配置されるように、前記複数の液晶パネルのうちの一部がひっくり返された状態で前記複数の液晶パネルを隣接するように配列して固定する段階、前記複数の液晶パネルのうち、ひっくり返された状態で配列される液晶パネルの面に付着された偏光板を除去する段階、および前記ひっくり返された状態で配列される液晶パネルの偏光板が除去された面に最初に反対側面に付着されていた偏光板と同一の種類の偏光板をそれぞれ付着する段階を含む。
【００１１】
前記複数の液晶パネルの一部をそれぞれ除去する段階において、前記液晶パネルを駆動するためのドライバーが設置されていない前記液晶パネルの右側角部と下側角部のうちの一つ以上を切断して除去してもよい。
【００１２】
前記複数の液晶パネルは四つであってもよく、前記液晶パネルの一部をそれぞれ除去する段階において、前記四つの液晶パネルの右側角部および下側角部に沿ってそれぞれ切断されてもよく、前記複数の液晶パネルを隣接するように配列して固定する段階において、前記四つの液晶パネルは横二つおよび縦二つに配列されてもよい。そして、前記四つの液晶パネルのうち、左側上段に配列される液晶パネルはひっくり返さない状態で配置され、前記四つの液晶パネルのうち、右側上段に配列される液晶パネルは、右側切断面が左側に向かうようにひっくり返されて配置され、前記四つの液晶パネルのうち、左側下段に配列される液晶パネルは、下側切断面が上側に向かうようにひっくり返されて配置され、前記四つの液晶パネルのうち、右側下段に配列される液晶パネルは、切断されて形成された下側切断面と右側切断面が上側および左側にそれぞれ向かうようにひっくり返されて配置されてもよい。
【発明の効果】
【００１３】
本発明によれば、複数の液晶パネルの角部を切断して除去し、切断面が互いに向き合うように複数の液晶パネルのうちの一部をひっくり返した状態で互いに隣接するように配列することによって、複数の液晶パネルの間の非視野領域を大幅に減少させることができる。
【００１４】
ひいては、ひっくり返された状態で配列される液晶パネルの偏光板を最初に反対側面にある偏光板と同一の種類のものに交替することによって、ひっくり返された液晶パネルの上面にヘイズ処理された偏光板が付着され、これによってひっくり返された液晶パネルの良好な視認性を担保することができる。
【図面の簡単な説明】
【００１５】
【図１】本発明の実施形態によるマルチディスプレイ装置の製造方法が適用され得る液晶パネルの斜視図である。
【図２】図１の液晶パネルの一画素に対する等価回路図である。
【図３】本発明の実施形態によるマルチディスプレイ装置の製造方法において、液晶パネルを切断するためにスクライブラインを形成した状態を示す断面図である。
【図４】本発明の実施形態によるマルチディスプレイ製造方法において、スクライブラインを形成した後、外力を加えて下部基板と下部基板を折り曲げる過程を説明するための図面である。
【図５】本発明のマルチディスプレイ装置の製造方法により上部基板と下部基板を切断した後、シーリング材を形成する過程を説明するための図面である。
【図６】本発明のマルチディスプレイ装置の製造方法において、ひっくり返された状態で配列される液晶パネルの偏光板を交替する過程を説明するための図面である。
【図７】本発明のマルチディスプレイ装置の製造方法において、複数の液晶パネルを配列する方法を説明するための図面である。
【図８】本発明のマルチディスプレイ装置の製造方法において、複数の液晶パネルを配列する方法を説明するための図面である。
【発明を実施するための形態】
【００１６】
以下、本発明の実施形態を添付図面を参照して詳しく説明する。
【００１７】
図面において、多くの層および領域を明確に表現するために厚さを拡大して示した。明細書全体を通して類似する部分については同一の図面符号を付した。層や膜などの部分が他の部分の「上」または「下」にあるという時、これは他の部分の「直上」または「直下」にある場合のみならず、その中間にさらに他の部分がある場合も含む。反対に、ある部分が他の部分の「直上」または「直下」にあるという時には、中間にさらに他の部分がないことを意味する。
【００１８】
本発明の実施形態によるマルチディスプレイ装置の製造方法は、複数の液晶パネルを部分的に切断し、切断された液晶パネルを互いに隣接するように配列して実現され得る。
【００１９】
まず、液晶パネルの概略的な構造および切断方法について説明する。
【００２０】
図１乃至図３を参照すると、本発明の実施形態によるマルチディスプレイ装置の製造方法が適用され得る液晶パネル３００は、下部基板１００とこれと向き合う上部基板２００、これらの間に形成されており、二つの基板１００、２００に対して垂直または水平に配向されている液晶分子を含む液晶層３を含む。下部基板１００は、薄膜トランジスタ基板（ｔｈｉｎ  ｆｉｌｍ  ｔｒａｎｓｉｓｔｏｒ  ａｒｒａｙ  ｐａｎｅｌ）とも言われ、上部基板２００は、カラーフィルター基板（ｃｏｌｏｒ  ｆｉｌｔｅｒ  ａｒｒａｙ  ｐａｎｅｌ）とも言われる。
【００２１】
一方、図面に示されてはいないが、液晶パネル３００は、ほぼ列方向に伸び、互いにほぼ平行な複数のデータ線、およびほぼ行方向に伸び、互いにほぼ平行なゲート線と、これらに連結されており、ほぼ行列の形態に配列された複数の画素を含むことができる。
【００２２】
二つの基板１００、２００周縁には、二つの基板１００、２００を結合するための物質からなり、液晶が満たされる部分を定義し、液晶が漏れることを防止するための密封材３１０が形成されている。
【００２３】
二つの基板１００、２００の外側面には、光を偏光させる偏光板１２、２２がそれぞれ付着されている。この時、使用者が直接見るようになる上部基板２００の外面に付着される図面符号２２の偏光板は、光の乱反射を誘導して視認性を高めるためにヘイズ（ｈａｚｅ）処理されている。
【００２４】
図３を参照すると、色フィルター２３０が上部基板２００の下面に形成され、共通電極２７０が色フィルター２３０の下面に形成され、上部配向膜（ａｌｉｇｎｍｅｎｔ  ｌａｙｅｒ）２４０が共通電極２７０の下面に形成される。
【００２５】
そして、下部基板１００の上面には、データ線１７１、ゲート線１２１、画素電極１９１、および薄膜トランジスタＴＦＴ等が形成され、その上部に下部配向膜１４０が形成される。
【００２６】
また、図３に示されているように、上部基板２００と下部基板１００の間のセルギャップ（ｃｅｌｌ  ｇａｐ）を維持するためのスペーサ（ｓｐａｃｅｒ）２５０が上部基板２００と下部基板１００の間に備えられる。
【００２７】
スペーサ２５０は、上部基板２００の上部配向膜２４０の下面にパターニング（ｐａｔｔｅｒｎｉｎｇ）されて形成され得る。この時、スペーサ２５０は、上部配向膜２４０には固定され、下部配向膜１４０には圧着された状態で設置され得る。
【００２８】
一方、図２を参照すると、各画素は、データ線１７１およびゲート線１２１に連結されたスイッチング素子Ｑと、これに連結された液晶キャパシタ（ｌｉｑｕｉｄ  ｃｒｙｓｔａｌ  ｃａｐａｃｉｔｏｒ）Ｃｌｃおよびストレージキャパシタ（ｓｔｏｒａｇｅ  ｃａｐａｃｉｔｏｒ）Ｃｓｔを含む。ストレージキャパシタＣｓｔは、必要に応じて省略することができる。
【００２９】
スイッチング素子Ｑは、下部基板１００に備えられている薄膜トランジスタなどの三端子素子であり、その制御端子はゲート線１２１と連結されており、入力端子はデータ線１７１と連結されており、出力端子は液晶キャパシタＣｌｃおよびストレージキャパシタＣｓｔと連結されている。
【００３０】
液晶キャパシタＣｌｃは、下部基板１００の画素電極１９１と上部基板２００の共通電極２７０を二つの端子とし、二つの電極１９１、２７０の間の液晶層３は誘電体として機能する。画素電極１９１は、スイッチング素子Ｑと連結され、共通電極２７０は、上部基板２００の全面に形成されており、共通電圧を印加される。ストレージキャパシタＣｓｔは、液晶キャパシタＣｌｃの補助的な役割を果たし、画素電極１９１に印加されたデータ電圧を一定の時間維持する。
【００３１】
一方、色表示を実現するためには、各画素が基本色（ｐｒｉｍａｒｙ  ｃｏｌｏｒ）のうちの一つを固有に表示したり（空間分割）、各画素が時間により交互に基本色を表示する（時間分割）ようにして、これら基本色の空間的、時間的合計で所望する色が認識されるようにする。基本色の例としては、赤色、緑色、青色など三原色が挙げられる。図２は、空間分割の一例として、各画素が画素電極１９１に対応する上部基板２００の領域に基本色のうちの一つを示す色フィルター２３０を備えることを示している。図２とは異なり、色フィルター２３０は、下部基板１００の画素電極１９１上または下に形成されることもある。
【００３２】
画素電極１９１に印加されたデータ電圧と共通電極２７０に印加された共通電圧との差異は、液晶キャパシタＣｌｃの充電電圧、つまり、画素電圧として現れる。液晶分子は、画素電圧の大きさによりその配列を異にし、これによって液晶層３を通過する光の偏光が変化し、このような偏光の変化は偏光板１２、２２により光の透過率変化として現れる。
【００３３】
次に、このような液晶パネルを切断して加工することによって所望する大きさを有する液晶パネルを形成する方法について、図３乃至図５を参照して詳細に説明する。
【００３４】
図３は、図１に示した液晶パネルをある一方向に切断した断面を示す断面図である。
【００３５】
図１および図３を参照すると、液晶パネル３００は、要求される大きさにより切断線Ａ方向または切断線Ｂ方向に切断され得る。切断線Ａは、ゲート線１２１と平行な方向であり、切断線Ｂは、データ線１７１と平行な方向である。いずれの方向に液晶パネル３００を切断しても以下で説明する切断方法は同一に適用される。
【００３６】
まず、切断線ＡまたはＢに沿って一定の幅に液晶パネル３００の偏光板１２、２２を薄皮する。偏光板１２、２２が薄皮されると、下部基板１００および上部基板２００が露出する。その後、露出した下部基板１００および上部基板２００を顕微鏡などで観察して切断位置を設定する。
【００３７】
その後、設定された切断位置に沿ってダイヤモンドホイール、ダイヤモンド針、レーザーなどを用いて上部基板２００のほぼ中間深さまでスクライブライン２９０を形成し、液晶パネル３００をひっくり返して下部基板１００のほぼ中間深さまでスクライブライン１９０を形成する。
【００３８】
そして、上部基板２００と下部基板１００にスクライブラインが形成された状態で約３０分程度鎮静させることができる。鎮静させる間に二つの基板１００、２００に形成されたスクライブラインに沿って自然亀裂が行われて液晶層３に空気が流入し、液晶層３に空気が流入すると流入された空気により一時的に液晶層３の流出が制限される。
【００３９】
このような鎮静段階を経た後、外部で一定の力を加えると、液晶パネル３００はスクライブライン２９０、１９０に沿って切断される。そして、切断された部位にシーリング材３２０をかぶせて切断された部位から液晶の流出を防止する。
【００４０】
この時、図３に示されているように、スクライブライン２９０、１９０が形成された液晶パネルを下部基板１００が上に位置するようにひっくり返した状態でステージ（ｓｔａｇｅ）５００に載置した後、外力を加えて下部基板１００と上部基板２００をスクライブライン２９０、１９０で切断する。
【００４１】
その後、図５に示されているように、図４でのように外力を加えて上部基板２００と下部基板１００を折り曲げた後には、シーリング材３２０を噴射するディスペンサー（ｄｉｓｐｅｎｓｅｒ）４００を用いて切断された部分を囲むシーリング材３２０を形成することができる。
【００４２】
前述したような方式で液晶パネルの４つの角部のうちの一つまたは二つの角部に沿って一部を切断することができる。
【００４３】
次に、添付された図６乃至図８を参照して切断された液晶パネルを用いてマルチディスプレイ装置を製造する方法について説明する。
【００４４】
まず、複数の液晶パネルの一つ以上の角部に沿ってそれぞれ切断して一部を除去し、その切断は前記図１乃至図５を参照して説明した方式により行うことができる。
【００４５】
この時、液晶パネルの右側角部または下側角部に沿って一部を切断することが好ましい。なぜなら、液晶パネルの上側角部にはソースドライバー（ｓｏｕｒｃｅ  ｄｒｉｖｅｒ）が設置され、左側角部にはゲートドライバー（ｇａｔｅ  ｄｒｉｖｅｒ）が設置されるが、液晶パネルの右側角部や下側角部を除去するとこれらドライバーを損傷せずに液晶パネルの一部を除去することができるためである。
【００４６】
図７は、二つの液晶パネルを隣接するように配列してマルチディスプレイ装置を製造する過程を説明するための図面であり、図８は、四つの液晶パネルを隣接するように配列してマルチディスプレイ装置を製造する過程を説明するための図面である。
【００４７】
図７の（ａ）に示されているように、二つの液晶パネルが左右に配置されるマルチディスプレイ装置を製造する場合には、二つの液晶パネル３１１、４１１の右側角部を切断して切断面３１３、４１３を形成することができる。一方、図８の（ａ）に示されているように、四つの液晶パネルが左右二つ、上下二つに配置されるマルチディスプレイ装置を製造する場合には、四つの液晶パネル５１１、６１１、７１１、８１１の右側角部および下側角部をそれぞれ切断して切断面５１３、５１４、６１３、６１４、７１３、７１４、８１３、８１４を形成することができる。
【００４８】
液晶パネルを切断した後には、角部が切断された複数の液晶パネルの切断面が互いに向き合って配置されるように複数の液晶パネルのうちの一部がひっくり返された状態で複数の液晶パネルを互いに隣接するように配列し固定する。
【００４９】
つまり、図７を参照すると、右側角部がそれぞれ切断された二つの液晶パネル３１１、４１１のうちの右側に位置するようになる液晶パネル４１１を、図７の（ａ）の矢印方向にひっくり返した後、二つの液晶パネル３１１、４１１を隣接するように配置すれば図７の（ｂ）のような状態となる。これによって、二つの液晶パネル３１１、４１１は、切断面３１３、４１３が互いに向き合う状態で隣接するように配置され、したがって、二つの液晶パネル３１１、４１１が互いに向き合う面にはブラックベゼル３１５、４１５がない状態となるため、二つの液晶パネル３１１、４１１がより近く配置され得る。
【００５０】
一方、図８を参照すると、右側角部と下側角部がそれぞれ切断された四つの液晶パネル５１１、６１１、７１１、８１１を縦横二つずつになるように配列し、右側上段、左側下段、右側下段に配列される液晶パネル６１１、７１１、８１１をそれぞれ矢印方向にひっくり返した後、四つの液晶パネル５１１、６１１、７１１、８１１を隣接するように配置すると図８の（ｂ）のような状態となる。つまり、四つの液晶パネル５１１、６１１、７１１、８１１のうち、左側上段に配列される液晶パネル５１１は、ひっくり返されない状態で配置され、右側上段に配列される液晶パネル６１１は、右側切断面６１３と下側切断面６１４がそれぞれ左側および下側に向かうようにひっくり返された状態で配置され、左側下段に配列される液晶パネル７１１は、右側切断面７１３と下側切断面７１４がそれぞれ右側および上側に向かうようにひっくり返された状態で配置され、右側下段に配列される液晶パネル８１１は、右側切断面８１３と下側切断面８１４がそれぞれ左側および上側に向かうようにひっくり返された状態で配置される。これによって、四つの液晶パネル５１１、６１１、７１１、８１１は、切断面５１３、５１４、６１３、６１４、７１３、７１４、８１３、８１４が互いに向き合う状態で隣接するように配置され、したがって、四つの液晶パネル５１１、６１１、７１１、８１１が互いに向き合う面には、ブラックベゼル５１５、６１５、７１５、８１５がない状態となるため、四つの液晶パネル５１１、６１１、７１１、８１１がより近く配置され得る。
【００５１】
この時、隣接するように配列される液晶パネルは、別途の固定フレームにより固定されてもよく、固定フレームは、液晶パネルを固定することができる任意の構造で実現され得る。このような固定フレーム自体は、本発明が属する技術分野の通常の知識を有する者に自明であるため、これについての詳細な説明は省略する。
【００５２】
一方、本発明の実施形態によるマルチディスプレイ装置の製造方法によれば、隣接するように配列される複数の液晶パネルのうち、ひっくり返された状態で配列される液晶パネルの両面に付着された偏光板を除去し、除去された両面に最初に反対側面に付着されていた偏光板と同一の種類の偏光板をそれぞれ付着する過程を含む。
【００５３】
つまり、図６を参照すると、まず、図６の（ａ）は、図１乃至図４のような過程を経て少なくとも一つの角部が除去された液晶パネルの断面を示し、この時、下部基板１００の外面にはヘイズ処理されていない偏光板１２が付着されており、上部基板２００の外面にはヘイズ処理された偏光板２２が付着されている。
【００５４】
ひっくり返された状態で配列される液晶パネルの両面、つまり、下部基板１００の外面と上部基板２００の外面に付着されている偏光板を除去して図６の（ｂ）のような状態となるようにする。
【００５５】
その後、図６の（ｃ）に示されているように、ひっくり返された状態で配列される液晶パネルの偏光板が除去された両面、つまり、下部基板１００の外面と上部基板２００の外面に最初に反対側面に付着されていた偏光板と同一の種類の偏光板をそれぞれ付着する。つまり、下部基板１００の外面にヘイズ処理された偏光板３２を付着し、上部基板２００の外面にヘイズ処理されていない偏光板４２を付着する。このように偏光板を交替することによって、ひっくり返された液晶パネルの上面、つまり、使用者が見るようになる面にヘイズ処理された偏光板が付着されることによって、ひっくり返された液晶パネルの良好な視認性を担保することができる。
【００５６】
この時、図６には、液晶パネルを切断した後、偏光板１２、２２を除去し、新たな偏光板３２、４２を付着することが示されているが、液晶パネルを切断する前に元に付着されていた偏光板を除去し、新たな偏光板を付着することもでき、液晶パネルを切断する前に元に付着されていた偏光板を除去し、液晶パネルを切断した後に新たな偏光板を付着することもできる。
【００５７】
このように複数の液晶パネルの角部のうちの一部を除去した後、一部の液晶パネルをひっくり返して角部切断面が互いに向き合うように複数の液晶パネルを配列することによって、マルチディスプレイ装置の各液晶パネル間の間隔を大幅減少させることができ、また、ひっくり返された液晶パネルの偏光板を互いに反対に交替することによって、ひっくり返された液晶パネルの視認性を担保することができる。
【００５８】
以上で本発明の実施形態を説明したが、本発明の権利範囲はこれに限定されず、本発明の実施形態から本発明が属する技術分野で通常の知識を有する者により容易に変更されて均等であると認められる範囲のすべての変更および修正を含む。
【産業上の利用可能性】
【００５９】
本発明は、ディスプレイ装置製造方法に関するものであって、産業上利用の可能性がある。
【符号の説明】
【００６０】
３…液晶層
１２、２２…偏光板
１００…下部基板
１２１…ゲート線
１４０…下部配向膜
１７１…データ線
１９０、２９０…スクライブライン
１９１…画素電極
２００…上部基板
２３０…色フィルター
２４０…上部配向膜
２５０…スペーサ
２７０…共通電極
３００、３１１、４１１、５１１、６１１、７１１、８１１…液晶パネル
３１３、４１３、５１３、５１４、６１３、６１４、７１３、７１４、８１３、８１４…切断面
３１５、４１５、５１５、６１５、７１５、８１５…ブラックベゼル
３１０… 密封材
３２０…シーリング材
４００…ディスペンサー
５００…ステージ
Ａ、Ｂ…切断線
Ｃｌｃ…液晶キャパシタ
Ｃｓｔ…ストレージキャパシタ
【図１】
2013501960.tif 000003
【図２】
2013501960.tif 000004
【図５】
2013501960.tif 000005
【図６】
2013501960.tif 000006
【図３】
2013501960.tif 000007
【図４】
2013501960.tif 000008
【図７】
2013501960.tif 000009
【図８】
2013501960.tif 000010
【手続補正書】
【提出日】平成24年2月24日(2012.2.24)
【手続補正１】
【補正対象書類名】明細書
【補正対象項目名】全文
【補正方法】変更
【補正の内容】
【発明の詳細な説明】
【技術分野】
【０００１】
本発明は、複数の液晶パネルを隣接するように配列してマルチディスプレイ装置を製造する方法に関する。
【背景技術】
【０００２】
液晶表示装置は、軽量、薄型、低消費電力駆動などの長所を有して広く使用されており、それに対する研究開発も持続的に行われている。
【０００３】
一般的な液晶表示装置（ｌｉｑｕｉｄ  ｃｒｙｓｔａｌ  ｄｉｓｐｌａｙ、ＬＣＤ）の液晶パネル（ｌｉｑｕｉｄ  ｃｒｙｓｔａｌ  ｐａｎｅｌ）は、二つの基板と、その間に入っている誘電率異方性（ｄｉｅｌｅｃｔｒｉｃ  ａｎｉｓｏｔｒｏｐｙ）を有する液晶層とを含む。液晶層に電界を印加し、この電界の強さを調節して液晶層を通過する光の透過率を調節することによって所望する画像を得る。このような液晶表示装置は、携帯が簡便な平板表示装置（ｆｌａｔ  ｐａｎｅｌ  ｄｉｓｐｌａｙ、ＦＰＤ）の中で代表的なものであり、この中でも薄膜トランジスタ（ｔｈｉｎ  ｆｉｌｍ  ｔｒａｎｓｉｓｔｏｒ、ＴＦＴ）をスイッチング素子として用いたＴＦＴ−ＬＣＤが主に用いられている。
【０００４】
液晶パネルの互いに向き合うように配置される二つの基板のうちの下部の基板には、複数の表示信号線、つまり、ゲート線とデータ線、多数の薄膜トランジスタと画素電極などが形成され、二つの基板のうちの上部の基板には、色フィルター（ｃｏｌｏｒ  ｆｉｌｔｅｒ）と共通電極が形成される。
【０００５】
最近、多様な消費要求に応じて大型画面を実現する液晶表示装置に対する需要が増加している。大型画面を有する液晶表示装置を実現するために、液晶パネルを大型化する方法があるが、液晶パネルの大型化に限界があり、製造費用が急激に増加する問題がある。
【０００６】
このような液晶パネルの大型化の問題点を解決しながら大型画面を有する液晶表示装置を実現するために、複数の液晶パネルを互いに隣接するように配列して大型画面を構成して形成されるマルチディスプレイ装置が紹介されたことがある。
【０００７】
複数の液晶パネルを結合して形成されるマルチディスプレイ装置の場合、各液晶パネルのブラックベゼルの幅が小さいほど、ブラックベゼルが互いに隣接するように配置される部位（つまり、映像が表示されない領域）が小さくなって全体的に有利である。
【０００８】
しかし、通常の液晶パネルは、ある程度の長さのブラックベゼル部分を含むため、複数の液晶パネルを隣接するように配列してマルチディスプレイ装置を実現することにおいて、隣接するように配列される液晶パネルの間の映像が表示されない領域が相対的に広いという問題点があった。
【先行技術文献】
【特許文献】
【０００９】
【特許文献１】韓国特許第１０−０４５７２８７号公報
【発明の概要】
【発明が解決しようとする課題】
【００１０】
本発明は、上記問題点を解決するためになされたものであって、本発明が解決しようとする課題は、複数の液晶パネルを隣接するように配列してマルチディスプレイ装置を製造することにおいて、映像が表示されない領域を最少化すると共に、良質の映像を実現することができるマルチディスプレイ装置の製造方法を提供することにある。
【課題を解決するための手段】
【００１１】
前記課題を達成するための本発明の一実施形態による複数の液晶パネルを隣接するように配列してマルチディスプレイ装置を製造するマルチディスプレイ装置の製造方法は、前記複数の液晶パネルの一つ以上の端部に沿ってそれぞれ切断して前記複数の液晶パネルの一部をそれぞれ除去する段階、前記端部が切断された複数の液晶パネルの切断面が互いに向き合って配置されるように、前記複数の液晶パネルのうちの一部がひっくり返された状態で前記複数の液晶パネルを隣接するように配列して固定する段階、前記複数の液晶パネルのうち、ひっくり返された状態で配列される液晶パネルの面に付着された偏光板を除去する段階、および前記ひっくり返された状態で配列される液晶パネルの偏光板が除去された面に最初に反対側面に付着されていた偏光板と同一の種類の偏光板をそれぞれ付着する段階を含む。
【００１２】
前記複数の液晶パネルの一部をそれぞれ除去する段階において、前記液晶パネルを駆動するためのドライバーが設置されていない前記液晶パネルの右側端部と下側端部のうちの一つ以上を切断して除去してもよい。
【００１３】
前記複数の液晶パネルは四つであってもよく、前記液晶パネルの一部をそれぞれ除去する段階において、前記四つの液晶パネルの右側端部および下側端部に沿ってそれぞれ切断されてもよく、前記複数の液晶パネルを隣接するように配列して固定する段階において、前記四つの液晶パネルは横二つおよび縦二つに配列されてもよい。そして、前記四つの液晶パネルのうち、左側上段に配列される液晶パネルはひっくり返さない状態で配置され、前記四つの液晶パネルのうち、右側上段に配列される液晶パネルは、右側切断面が左側に向かうようにひっくり返されて配置され、前記四つの液晶パネルのうち、左側下段に配列される液晶パネルは、下側切断面が上側に向かうようにひっくり返されて配置され、前記四つの液晶パネルのうち、右側下段に配列される液晶パネルは、切断されて形成された下側切断面と右側切断面が上側および左側にそれぞれ向かうようにひっくり返されて配置されてもよい。
【発明の効果】
【００１４】
本発明によれば、複数の液晶パネルの端部を切断して除去し、切断面が互いに向き合うように複数の液晶パネルのうちの一部をひっくり返した状態で互いに隣接するように配列することによって、複数の液晶パネルの間の非視野領域を大幅に減少させることができる。
【００１５】
ひいては、ひっくり返された状態で配列される液晶パネルの偏光板を最初に反対側面にある偏光板と同一の種類のものに交替することによって、ひっくり返された液晶パネルの上面にヘイズ処理された偏光板が付着され、これによってひっくり返された液晶パネルの良好な視認性を担保することができる。
【図面の簡単な説明】
【００１６】
【図１】本発明の実施形態によるマルチディスプレイ装置の製造方法が適用され得る液晶パネルの斜視図である。
【図２】図１の液晶パネルの一画素に対する等価回路図である。
【図３】本発明の実施形態によるマルチディスプレイ装置の製造方法において、液晶パネルを切断するためにスクライブラインを形成した状態を示す断面図である。
【図４】本発明の実施形態によるマルチディスプレイ製造方法において、スクライブラインを形成した後、外力を加えて下部基板と下部基板を折り曲げる過程を説明するための図面である。
【図５】本発明のマルチディスプレイ装置の製造方法により上部基板と下部基板を切断した後、シーリング材を形成する過程を説明するための図面である。
【図６】本発明のマルチディスプレイ装置の製造方法において、ひっくり返された状態で配列される液晶パネルの偏光板を交替する過程を説明するための図面である。
【図７】本発明のマルチディスプレイ装置の製造方法において、複数の液晶パネルを配列する方法を説明するための図面である。
【図８】本発明のマルチディスプレイ装置の製造方法において、複数の液晶パネルを配列する方法を説明するための図面である。
【発明を実施するための形態】
【００１７】
以下、本発明の実施形態を添付図面を参照して詳しく説明する。
【００１８】
図面において、多くの層および領域を明確に表現するために厚さを拡大して示した。明細書全体を通して類似する部分については同一の図面符号を付した。層や膜などの部分が他の部分の「上」または「下」にあるという時、これは他の部分の「直上」または「直下」にある場合のみならず、その中間にさらに他の部分がある場合も含む。反対に、ある部分が他の部分の「直上」または「直下」にあるという時には、中間にさらに他の部分がないことを意味する。
【００１９】
本発明の実施形態によるマルチディスプレイ装置の製造方法は、複数の液晶パネルを部分的に切断し、切断された液晶パネルを互いに隣接するように配列して実現され得る。
【００２０】
まず、液晶パネルの概略的な構造および切断方法について説明する。
【００２１】
図１乃至図３を参照すると、本発明の実施形態によるマルチディスプレイ装置の製造方法が適用され得る液晶パネル３００は、下部基板１００とこれと向き合う上部基板２００、これらの間に形成されており、二つの基板１００、２００に対して垂直または水平に配向されている液晶分子を含む液晶層３を含む。下部基板１００は、薄膜トランジスタ基板（ｔｈｉｎ  ｆｉｌｍ  ｔｒａｎｓｉｓｔｏｒ  ａｒｒａｙ  ｐａｎｅｌ）とも言われ、上部基板２００は、カラーフィルター基板（ｃｏｌｏｒ  ｆｉｌｔｅｒ  ａｒｒａｙ  ｐａｎｅｌ）とも言われる。
【００２２】
一方、図面に示されてはいないが、液晶パネル３００は、ほぼ列方向に伸び、互いにほぼ平行な複数のデータ線、およびほぼ行方向に伸び、互いにほぼ平行なゲート線と、これらに連結されており、ほぼ行列の形態に配列された複数の画素を含むことができる。
【００２３】
二つの基板１００、２００周縁には、二つの基板１００、２００を結合するための物質からなり、液晶が満たされる部分を定義し、液晶が漏れることを防止するための密封材３１０が形成されている。
【００２４】
二つの基板１００、２００の外側面には、光を偏光させる偏光板１２、２２がそれぞれ付着されている。この時、使用者が直接見るようになる上部基板２００の外面に付着される図面符号２２の偏光板は、光の乱反射を誘導して視認性を高めるためにヘイズ（ｈａｚｅ）処理されている。
【００２５】
図３を参照すると、色フィルター２３０が上部基板２００の下面に形成され、共通電極２７０が色フィルター２３０の下面に形成され、上部配向膜（ａｌｉｇｎｍｅｎｔ  ｌａｙｅｒ）２４０が共通電極２７０の下面に形成される。
【００２６】
そして、下部基板１００の上面には、データ線１７１、ゲート線１２１、画素電極１９１、および薄膜トランジスタＴＦＴ等が形成され、その上部に下部配向膜１４０が形成される。
【００２７】
また、図３に示されているように、上部基板２００と下部基板１００の間のセルギャップ（ｃｅｌｌ  ｇａｐ）を維持するためのスペーサ（ｓｐａｃｅｒ）２５０が上部基板２００と下部基板１００の間に備えられる。
【００２８】
スペーサ２５０は、上部基板２００の上部配向膜２４０の下面にパターニング（ｐａｔｔｅｒｎｉｎｇ）されて形成され得る。この時、スペーサ２５０は、上部配向膜２４０には固定され、下部配向膜１４０には圧着された状態で設置され得る。
【００２９】
一方、図２を参照すると、各画素は、データ線１７１およびゲート線１２１に連結されたスイッチング素子Ｑと、これに連結された液晶キャパシタ（ｌｉｑｕｉｄ  ｃｒｙｓｔａｌ  ｃａｐａｃｉｔｏｒ）Ｃｌｃおよびストレージキャパシタ（ｓｔｏｒａｇｅ  ｃａｐａｃｉｔｏｒ）Ｃｓｔを含む。ストレージキャパシタＣｓｔは、必要に応じて省略することができる。
【００３０】
スイッチング素子Ｑは、下部基板１００に備えられている薄膜トランジスタなどの三端子素子であり、その制御端子はゲート線１２１と連結されており、入力端子はデータ線１７１と連結されており、出力端子は液晶キャパシタＣｌｃおよびストレージキャパシタＣｓｔと連結されている。
【００３１】
液晶キャパシタＣｌｃは、下部基板１００の画素電極１９１と上部基板２００の共通電極２７０を二つの端子とし、二つの電極１９１、２７０の間の液晶層３は誘電体として機能する。画素電極１９１は、スイッチング素子Ｑと連結され、共通電極２７０は、上部基板２００の全面に形成されており、共通電圧を印加される。ストレージキャパシタＣｓｔは、液晶キャパシタＣｌｃの補助的な役割を果たし、画素電極１９１に印加されたデータ電圧を一定の時間維持する。
【００３２】
一方、色表示を実現するためには、各画素が基本色（ｐｒｉｍａｒｙ  ｃｏｌｏｒ）のうちの一つを固有に表示したり（空間分割）、各画素が時間により交互に基本色を表示する（時間分割）ようにして、これら基本色の空間的、時間的合計で所望する色が認識されるようにする。基本色の例としては、赤色、緑色、青色など三原色が挙げられる。図２は、空間分割の一例として、各画素が画素電極１９１に対応する上部基板２００の領域に基本色のうちの一つを示す色フィルター２３０を備えることを示している。図２とは異なり、色フィルター２３０は、下部基板１００の画素電極１９１上または下に形成されることもある。
【００３３】
画素電極１９１に印加されたデータ電圧と共通電極２７０に印加された共通電圧との差異は、液晶キャパシタＣｌｃの充電電圧、つまり、画素電圧として現れる。液晶分子は、画素電圧の大きさによりその配列を異にし、これによって液晶層３を通過する光の偏光が変化し、このような偏光の変化は偏光板１２、２２により光の透過率変化として現れる。
【００３４】
次に、このような液晶パネルを切断して加工することによって所望する大きさを有する液晶パネルを形成する方法について、図３乃至図５を参照して詳細に説明する。
【００３５】
図３は、図１に示した液晶パネルをある一方向に切断した断面を示す断面図である。
【００３６】
図１および図３を参照すると、液晶パネル３００は、要求される大きさにより切断線Ａ方向または切断線Ｂ方向に切断され得る。切断線Ａは、ゲート線１２１と平行な方向であり、切断線Ｂは、データ線１７１と平行な方向である。いずれの方向に液晶パネル３００を切断しても以下で説明する切断方法は同一に適用される。
【００３７】
まず、切断線ＡまたはＢに沿って一定の幅に液晶パネル３００の偏光板１２、２２を薄皮する。偏光板１２、２２が薄皮されると、下部基板１００および上部基板２００が露出する。その後、露出した下部基板１００および上部基板２００を顕微鏡などで観察して切断位置を設定する。
【００３８】
その後、設定された切断位置に沿ってダイヤモンドホイール、ダイヤモンド針、レーザーなどを用いて上部基板２００のほぼ中間深さまでスクライブライン２９０を形成し、液晶パネル３００をひっくり返して下部基板１００のほぼ中間深さまでスクライブライン１９０を形成する。
【００３９】
そして、上部基板２００と下部基板１００にスクライブラインが形成された状態で約３０分程度鎮静させることができる。鎮静させる間に二つの基板１００、２００に形成されたスクライブラインに沿って自然亀裂が行われて液晶層３に空気が流入し、液晶層３に空気が流入すると流入された空気により一時的に液晶層３の流出が制限される。
【００４０】
このような鎮静段階を経た後、外部で一定の力を加えると、液晶パネル３００はスクライブライン２９０、１９０に沿って切断される。そして、切断された部位にシーリング材３２０をかぶせて切断された部位から液晶の流出を防止する。
【００４１】
この時、図３に示されているように、スクライブライン２９０、１９０が形成された液晶パネルを下部基板１００が上に位置するようにひっくり返した状態でステージ（ｓｔａｇｅ）５００に載置した後、外力を加えて下部基板１００と上部基板２００をスクライブライン２９０、１９０で切断する。
【００４２】
その後、図５に示されているように、図４でのように外力を加えて上部基板２００と下部基板１００を折り曲げた後には、シーリング材３２０を噴射するディスペンサー（ｄｉｓｐｅｎｓｅｒ）４００を用いて切断された部分を囲むシーリング材３２０を形成することができる。
【００４３】
前述したような方式で液晶パネルの４つの端部のうちの一つまたは二つの端部に沿って一部を切断することができる。
【００４４】
次に、添付された図６乃至図８を参照して切断された液晶パネルを用いてマルチディスプレイ装置を製造する方法について説明する。
【００４５】
まず、複数の液晶パネルの一つ以上の端部に沿ってそれぞれ切断して一部を除去し、その切断は前記図１乃至図５を参照して説明した方式により行うことができる。
【００４６】
この時、液晶パネルの右側端部または下側端部に沿って一部を切断することが好ましい。なぜなら、液晶パネルの上側端部にはソースドライバー（ｓｏｕｒｃｅ  ｄｒｉｖｅｒ）が設置され、左側端部にはゲートドライバー（ｇａｔｅ  ｄｒｉｖｅｒ）が設置されるが、液晶パネルの右側端部や下側端部を除去するとこれらドライバーを損傷せずに液晶パネルの一部を除去することができるためである。
【００４７】
図７は、二つの液晶パネルを隣接するように配列してマルチディスプレイ装置を製造する過程を説明するための図面であり、図８は、四つの液晶パネルを隣接するように配列してマルチディスプレイ装置を製造する過程を説明するための図面である。
【００４８】
図７の（ａ）に示されているように、二つの液晶パネルが左右に配置されるマルチディスプレイ装置を製造する場合には、二つの液晶パネル３１１、４１１の右側端部を切断して切断面３１３、４１３を形成することができる。一方、図８の（ａ）に示されているように、四つの液晶パネルが左右二つ、上下二つに配置されるマルチディスプレイ装置を製造する場合には、四つの液晶パネル５１１、６１１、７１１、８１１の右側端部および下側端部をそれぞれ切断して切断面５１３、５１４、６１３、６１４、７１３、７１４、８１３、８１４を形成することができる。
【００４９】
液晶パネルを切断した後には、端部が切断された複数の液晶パネルの切断面が互いに向き合って配置されるように複数の液晶パネルのうちの一部がひっくり返された状態で複数の液晶パネルを互いに隣接するように配列し固定する。
【００５０】
つまり、図７を参照すると、右側端部がそれぞれ切断された二つの液晶パネル３１１、４１１のうちの右側に位置するようになる液晶パネル４１１を、図７の（ａ）の矢印方向にひっくり返した後、二つの液晶パネル３１１、４１１を隣接するように配置すれば図７の（ｂ）のような状態となる。これによって、二つの液晶パネル３１１、４１１は、切断面３１３、４１３が互いに向き合う状態で隣接するように配置され、したがって、二つの液晶パネル３１１、４１１が互いに向き合う面にはブラックベゼル３１５、４１５がない状態となるため、二つの液晶パネル３１１、４１１がより近く配置され得る。
【００５１】
一方、図８を参照すると、右側端部と下側端部がそれぞれ切断された四つの液晶パネル５１１、６１１、７１１、８１１を縦横二つずつになるように配列し、右側上段、左側下段、右側下段に配列される液晶パネル６１１、７１１、８１１をそれぞれ矢印方向にひっくり返した後、四つの液晶パネル５１１、６１１、７１１、８１１を隣接するように配置すると図８の（ｂ）のような状態となる。つまり、四つの液晶パネル５１１、６１１、７１１、８１１のうち、左側上段に配列される液晶パネル５１１は、ひっくり返されない状態で配置され、右側上段に配列される液晶パネル６１１は、右側切断面６１３と下側切断面６１４がそれぞれ左側および下側に向かうようにひっくり返された状態で配置され、左側下段に配列される液晶パネル７１１は、右側切断面７１３と下側切断面７１４がそれぞれ右側および上側に向かうようにひっくり返された状態で配置され、右側下段に配列される液晶パネル８１１は、右側切断面８１３と下側切断面８１４がそれぞれ左側および上側に向かうようにひっくり返された状態で配置される。これによって、四つの液晶パネル５１１、６１１、７１１、８１１は、切断面５１３、５１４、６１３、６１４、７１３、７１４、８１３、８１４が互いに向き合う状態で隣接するように配置され、したがって、四つの液晶パネル５１１、６１１、７１１、８１１が互いに向き合う面には、ブラックベゼル５１５、６１５、７１５、８１５がない状態となるため、四つの液晶パネル５１１、６１１、７１１、８１１がより近く配置され得る。
【００５２】
この時、隣接するように配列される液晶パネルは、別途の固定フレームにより固定されてもよく、固定フレームは、液晶パネルを固定することができる任意の構造で実現され得る。このような固定フレーム自体は、本発明が属する技術分野の通常の知識を有する者に自明であるため、これについての詳細な説明は省略する。
【００５３】
一方、本発明の実施形態によるマルチディスプレイ装置の製造方法によれば、隣接するように配列される複数の液晶パネルのうち、ひっくり返された状態で配列される液晶パネルの両面に付着された偏光板を除去し、除去された両面に最初に反対側面に付着されていた偏光板と同一の種類の偏光板をそれぞれ付着する過程を含む。
【００５４】
つまり、図６を参照すると、まず、図６の（ａ）は、図１乃至図４のような過程を経て少なくとも一つの端部が除去された液晶パネルの断面を示し、この時、下部基板１００の外面にはヘイズ処理されていない偏光板１２が付着されており、上部基板２００の外面にはヘイズ処理された偏光板２２が付着されている。
【００５５】
ひっくり返された状態で配列される液晶パネルの両面、つまり、下部基板１００の外面と上部基板２００の外面に付着されている偏光板を除去して図６の（ｂ）のような状態となるようにする。
【００５６】
その後、図６の（ｃ）に示されているように、ひっくり返された状態で配列される液晶パネルの偏光板が除去された両面、つまり、下部基板１００の外面と上部基板２００の外面に最初に反対側面に付着されていた偏光板と同一の種類の偏光板をそれぞれ付着する。つまり、下部基板１００の外面にヘイズ処理された偏光板３２を付着し、上部基板２００の外面にヘイズ処理されていない偏光板４２を付着する。このように偏光板を交替することによって、ひっくり返された液晶パネルの上面、つまり、使用者が見るようになる面にヘイズ処理された偏光板が付着されることによって、ひっくり返された液晶パネルの良好な視認性を担保することができる。
【００５７】
この時、図６には、液晶パネルを切断した後、偏光板１２、２２を除去し、新たな偏光板３２、４２を付着することが示されているが、液晶パネルを切断する前に元に付着されていた偏光板を除去し、新たな偏光板を付着することもでき、液晶パネルを切断する前に元に付着されていた偏光板を除去し、液晶パネルを切断した後に新たな偏光板を付着することもできる。
【００５８】
このように複数の液晶パネルの端部のうちの一部を除去した後、一部の液晶パネルをひっくり返して端部切断面が互いに向き合うように複数の液晶パネルを配列することによって、マルチディスプレイ装置の各液晶パネル間の間隔を大幅減少させることができ、また、ひっくり返された液晶パネルの偏光板を互いに反対に交替することによって、ひっくり返された液晶パネルの視認性を担保することができる。
【００５９】
以上で本発明の実施形態を説明したが、本発明の権利範囲はこれに限定されず、本発明の実施形態から本発明が属する技術分野で通常の知識を有する者により容易に変更されて均等であると認められる範囲のすべての変更および修正を含む。
【産業上の利用可能性】
【００６０】
本発明は、ディスプレイ装置製造方法に関するものであって、産業上利用の可能性がある。
【符号の説明】
【００６１】
３…液晶層
１２、２２…偏光板
１００…下部基板
１２１…ゲート線
１４０…下部配向膜
１７１…データ線
１９０、２９０…スクライブライン
１９１…画素電極
２００…上部基板
２３０…色フィルター
２４０…上部配向膜
２５０…スペーサ
２７０…共通電極
３００、３１１、４１１、５１１、６１１、７１１、８１１…液晶パネル
３１３、４１３、５１３、５１４、６１３、６１４、７１３、７１４、８１３、８１４…切断面
３１５、４１５、５１５、６１５、７１５、８１５…ブラックベゼル
３１０… 密封材
３２０…シーリング材
４００…ディスペンサー
５００…ステージ
Ａ、Ｂ…切断線
Ｃｌｃ…液晶キャパシタ
Ｃｓｔ…ストレージキャパシタ
【手続補正２】
【補正対象書類名】特許請求の範囲
【補正対象項目名】全文
【補正方法】変更
【補正の内容】
【特許請求の範囲】
【請求項１】
複数の液晶パネルを隣接するように配列してマルチディスプレイ装置を製造するマルチディスプレイ装置の製造方法において、
前記複数の液晶パネルの一つ以上の端部に沿ってそれぞれ切断して前記複数の液晶パネルの一部をそれぞれ除去する段階、
前記端部が切断された複数の液晶パネルの切断面が互いに向き合って配置されるように、前記複数の液晶パネルのうちの一部がひっくり返された状態で前記複数の液晶パネルを隣接するように配列して固定する段階、
前記複数の液晶パネルのうち、ひっくり返された状態で配列される液晶パネルの面に付着された偏光板を除去する段階、および
前記ひっくり返された状態で配列される液晶パネルの偏光板が除去された面に最初に反対側面に付着されていた偏光板と同一の種類の偏光板をそれぞれ付着する段階を含む、マルチディスプレイ装置の製造方法。
【請求項２】
前記複数の液晶パネルの一部をそれぞれ除去する段階において、前記液晶パネルを駆動するためのドライバーが設置されていない前記液晶パネルの右側端部と下側端部のうちの一つ以上を切断して除去する、請求項１に記載のマルチディスプレイ装置の製造方法。
【請求項３】
前記複数の液晶パネルは四つであり、
前記液晶パネルの一部をそれぞれ除去する段階において、前記四つの液晶パネルの右側端部および下側端部に沿ってそれぞれ切断され、
前記複数の液晶パネルを隣接するように配列して固定する段階において、前記四つの液晶パネルは横二つおよび縦二つに配列され、
前記四つの液晶パネルのうち、左側上段に配列される液晶パネルはひっくり返さない状態で配置され、前記四つの液晶パネルのうち、右側上段に配列される液晶パネルは、右側切断面が左側に向かうようにひっくり返されて配置され、前記四つの液晶パネルのうち、左側下段に配列される液晶パネルは、下側切断面が上側に向かうようにひっくり返されて配置され、前記四つの液晶パネルのうち、右側下段に配列される液晶パネルは、切断されて形成された下側切断面と右側切断面が上側および左側にそれぞれ向かうようにひっくり返されて配置される、請求項２に記載のマルチディスプレイ装置の製造方法。
【手続補正書】
【提出日】平成24年7月11日(2012.7.11)
【手続補正１】
【補正対象書類名】手続補正書
【補正対象項目名】手続補正３
【補正方法】削除
【補正の内容】
【国際調査報告】
2013501960.tif 000011
2013501960.tif 000012
2013501960.tif 000013
2013501960.tif 000014